(57)【特許請求の範囲】
【請求項１】
演奏用の凸部又は孔部による演奏用係合部を備えた交換可能なオルゴールディスクを、前記ディスクの中央部を支持するターンプレートによって回転駆動し、前記ディスクの演奏用係合部に案内されて回転するスターホイールにより、オルゴール弁を弾いてメロディを奏でるディスクオルゴールにおいて、
複数のディスク回転位置検出手段を設けるとともに、前記回転位置検出手段からの検出信号を、選択的に抑制する抑止手段を設けて構成され、
前記回転位置検出手段は、前記ターンプレートの周上に、所定間隔で設けられた複数の切欠き部と、該ターンプレートの切欠き部によって操作されるスイッチとから構成され、
前記抑止手段は、前記ターンプレートの周上に設けたことを特徴とするディスクオルゴール。
【請求項２】
前記抑止手段を、前記切欠き部内に配置されるディスクに設けた突設部によって構成したことを特徴とする請求項１記載のディスクオルゴール。
【請求項３】
前記回転位置検出手段からの検出信号に基づき、ディスクの回転駆動を停止するディスク駆動停止手段を設けるとともに、外部スイッチからのスイッチ信号に基づき、前記回転位置検出手段からの検出信号を、選択的に抑制する抑止手段を設け、該外部スイッチの操作によって、ディスク駆動停止手段の停止動作を制御することを特徴とする請求項１記載のディスクオルゴール。
【発明の詳細な説明】
【０００１】
【発明の属する技術分野】
本発明は、所定の演奏パターンに複数の演奏係合部を設けたオルゴールディスクを、モータにより回転駆動し、所定の演奏タイミングで、スターホイールを演奏係合部が係合して回転させ、スターホイールよりオルゴール弁を弾いて、メロディを奏でるディスクオルゴールに関し、使用者が、単一曲及び複数曲を記録したディスクを選択した場合にも、各曲毎に正確に演奏開始、停止が行えるようにした。
【０００２】
【従来の技術】
一般に、時計等の報知に用いられる発音手段としては、発音回路及びスピーカ等を用いて、無機的な電子音を得るものに限らず、機械的なオルゴールを用いて、柔らかく古風なオルゴール音を得るようにしたものが知られている。
【０００３】
このようなオルゴールは、単一の曲目をオルゴール演奏するものが一般的であり、この音程に応じた複数の発音部分を備えた長板状の発音体と、この発音体に対向配置され所定の演奏タイミングで発音体の発音部分を爪弾く突起が突設されたドラム体と、このドラム体を一定速度で回転駆動する駆動部とから構成されている。
【０００４】
すなわち、この発音体は、略長板状の金属板を、音階数に応じた所定数の発音部分であるクシ歯状に形成され、これらクシ歯部分（オルゴール弁）は、所定の長さ且つ厚さに形成され、このオルゴール弁の先端が爪弾かれた場合には、分担する音階のオルゴール音が発生するようにしている。また、ドラム体は、少なくとも発音体より長い円筒状に形成され、発音体の発音部位に対峙して回転可能に配設され、発音体の発音部分に対応した外周には、曲目に合わせて間歇的な突起が形成されている。そして、駆動部が、ドラム体を一定方向に所定スピードで回転駆動することにより、所定のタイミングでドラム体の各突起が、発音体の各発音部位を爪弾くことにより、曲目をオルゴール演奏している。
【０００５】
また、このような予め組込まれたドラム体の替わりに、異なる曲目が記録された複数のオルゴールディスクを、交換可能に構成し、任意の曲目をオルゴール演奏できるようにしたオルゴールも、提案されている。
【０００６】
このオルゴールディスクは、円盤状に形成され、該オルゴールディスクの一面を発音体のオルゴール弁に応じて複数トラックに区画し、そのトラックが分担した音階の演奏タイミングに応じた周方向の箇所に演奏用係合部を形成した構成を備え、これらの演奏用係合部は、オルゴールディスクの所定箇所に設けた突起や所定径の孔により構成されている。そして、このような演奏用係合部を用いて、発音体の所定部位を、爪弾くことによって、オルゴール演奏が行われる。
【０００７】
すなわち、このオルゴールディスクを用いるオルゴールは、多数の演奏用係合部を備えた円板状のオルゴールディスクを装着してオルゴール演奏するものであって、オルゴールディスクはオルゴール本体部の駆動機構により回転駆動され、他方、オルゴール本体部には、発音体のオルゴール弁を弾くスターホイールを、スターホイール軸に回転可能に装着している。そして、駆動機構によりオルゴールディスクを回転させると、オルゴールディスクの演奏用係合部が該演奏用係合部に対応するスターホイールの爪を引っ掛けて該スターホイールを回転させ、この回転するスターホイールに後続する他の爪により、所定のタイミングで所定音階のオルゴール弁を弾いてオルゴール音を生成し、メロディを奏でることができる。
【０００８】
また、このディスクオルゴールは、スターホイールに対向する部位のオルゴールディスクを、押えローラを備えたオルゴールディスク押えアームで片側面から押圧して保持することにより、比較的に薄い厚さのオルゴールディスクを用いることができる。従って、異なる曲目パターンが形成されたオルゴールディスクを、多数、廉価に制作することができるとともに、オルゴールディスク自体が薄板円盤状なので、ＣＤサイズのメディアと同様に、収納、保管も容易に行え、効率的に輸送することができ、効率的な商品流通が図れる。
【０００９】
更に、このようにオルゴールディスク自体の取扱が容易なので、オルゴールに着脱することも簡易に行え、短時間にオルゴールディスク交換できる。従って、予め異なる曲目のオルゴールディスクを複数枚、用意しておき、これらのオルゴールディスクから任意の曲目を選択してオルゴールディスク交換することにより、オルゴール演奏する曲目変更を迅速且つ容易に行うことができる。
【００１０】
このように、ディスクオルゴールは、ドラム固定型の１曲専用のオルゴールに比べて、複数のオルゴールディスクから任意のオルゴールディスクを選択して簡単に装着できるので、曲目の変更が柔軟且つ容易に行える利点を有している。
【００１１】
【発明が解決しようとする課題】
このようなディスクオルゴールにおいて、基本的に、１ディスクを回転動作させて、オルゴール演奏させていたので、演奏曲目等に制約が生じていた。特に、例えば、このようなオルゴールディスクを、時計に組込んだ場合には、報時動作毎に、自動的に異なる曲目をオルゴール演奏できないという不都合が生じ、商品展開を狭めていた。
【００１２】
すなわち、ディスクオルゴールを時計に組込んで報時動作を行う従来のものは、正時信号が入力するとオルゴール機構のモータを発進駆動し、ディスクが１回転するとオートストップ機構が働いて停止する。このような従来のものは、演奏時間を短くしたり、また、長くしたいという要望に適合し難い不都合がある。
【００１３】
そこで、本発明は、この種のディスクオルゴールにおいて、演奏時間を短くしたり、また、長くすることの可能なディスクオルゴールを提案するものである。
【００１４】
【課題を解決するための手段】
本願第１請求項の発明は、演奏用の凸部又は孔部による演奏用係合部を備えた交換可能なオルゴールディスクを、前記ディスクの中央部を支持するターンプレートによって回転駆動し、前記ディスクの演奏用係合部に案内されて回転するスターホイールにより、オルゴール弁を弾いてメロディを奏でるディスクオルゴールにおいて、
複数のディスク回転位置検出手段を設けるとともに、前記回転位置検出手段からの検出信号を、選択的に抑制する抑止手段を設けて構成され、
前記回転位置検出手段は、前記ターンプレートの周上に、所定間隔で設けられた複数の切欠き部と、該ターンプレートの切欠き部によって操作されるスイッチとから構成され、
前記抑止手段は、前記ターンプレートの周上に設けたディスクオルゴールである。
【００１５】
本願第２請求項の発明は、請求項１の発明において、前記抑止手段を、前記切欠き部内に配置されるディスクに設けた突設部によって構成したディスクオルゴールである。
【００１６】
本願第３請求項の発明は、請求項１の発明において、前記回転位置検出手段からの検出信号に基づき、ディスクの回転駆動を停止するディスク駆動停止手段を設けるとともに、
外部スイッチからのスイッチ信号に基づき、前記回転位置検出手段からの検出信号を、選択的に抑制する抑止手段を設け、
該外部スイッチの操作によって、ディスク駆動停止手段の停止動作を制御した構成のディスクオルゴールである。
【００１７】
従って、本発明によれば、演奏時間を短くしたり、また、長くすることの可能なディスクオルゴールを得ることができる。この演奏時間の選択も、請求項２に記載したように、ディスクの所定の回転位置検出を阻止する突設部を設けたディスクにより行う構造的な態様や、請求項３に記載したように、外部スイッチによる検出信号の抑止によって行う電気的な態様を採ることができる。
【００１８】
【発明の実施の形態】
以下に、本発明のディスクオルゴールに係る第１具体例を図１ないし図１１に基づいて説明する。
【００１９】
図１及び図２に示すように、本例の本例のディスクオルゴール２０は、容易且つすばやく交換することの可能なオルゴールディスク１（以降、ディスク１と称する）を用いて、オルゴール演奏するものである。
【００２０】
本例のディスクオルゴール２０に用いるディスク１は、ステンレス等の軽金属を用いて所定の剛性強度を備えた円盤形状に形成され、その裏面に曲目パターンに応じた複数の演奏用係合部３が設けられている。更に、図３に示すように、ディスク１は、その中心に所定の内径を備えた円形状の装着孔２が設けられ、この装着孔２の近傍且つ演奏パターンに応じた角度位置には、ディスク回転駆動制御に用いられる駆動孔４が設けられている。この駆動孔４を用いて行うディスク回転駆動制御については後述する。
【００２１】
また、このディスク１の裏面は、後述するオルゴール２０のオルゴール発音体２７のオルゴール弁２７ａに相応して、径方向に複数トラックに区画されており、各トラックが分担した音階の演奏タイミングに応じた周方向の箇所には、演奏用係合部３が形成され、これらの演奏用係合部３により、所定の演奏パターンを構成している。
【００２２】
また、この演奏用係合部３は、本例においては、突起タイプのものが用いられており、金属製ディスク１の該当箇所を切り起こして突起６を形成し、この突起６を発音動作用の係合部駆動２としている。すなわち、略長方形のコ字形状に切り込み６ａを形成し（図４（１））、この切り込み６ａを押圧して切り起こし部６ｂに成形し（図４（２））、更にこの切り起こし部６ｂを中間で折り曲げて、所定高さにディスク１背面から突出した突起６を形成している（図４（３））。また、このような演奏用係合部３は、自動的な加工機械により、ディスク１の内周側から外周側に向って、順次、形成されている。従って、このように演奏用係合部３を形成しているので、簡易な製作治具、製作工程で容易に、多数のディスク１を製作することができる。
【００２３】
このようなディスク１を用いるディスクオルゴール２０は、略平板素材を用いて所定の平面形状に形成されたベース台２１と、このベース台２１上に立設された中心軸２２に回転可能に遊嵌されたターンプレート２３と、このターンプレート２３にディスク１を脱着可能に保持する保持アーム２５と、ターンプレート２３を一定速度で回転駆動する駆動機構２４と、このターンプレート２３に同行して回転駆動されるディスク１の各演奏用係合部３により、対応した各スターホイール２６を介して、発音駆動されるオルゴール発音体２７とから構成されている。
【００２４】
すなわち、このベース台２１は、剛性強度が高い素材を用いて、少なくとも、ディスク１半径の長さより長く形成され、その長手方向の一端に、ディスク１を保持するターンプレート２３を立設して回転可能に軸支する一方、他端に、駆動機構２４のモータＭを配設するとともに、これらの間に、オルゴール演奏時にモータ回転駆動力をターンプレート２３に減速して伝達する駆動機構２４の伝達軸及び歯車を配設して構成されている。また、このベース台２１の所定箇所には、ディスクオルゴール２０を時計等の本体ケースに取付けるねじ孔が設けられている。
【００２５】
このターンプレート２３は、ベース台２１に立設された金属製の中心軸２２に遊嵌されるとともに、ターンプレート２３の先端側には、Ｅリングが嵌着されて抜け止めが図られている。
【００２６】
また、このターンプレート２３は、合成樹脂を用いて、厚板円盤状に形成され、その先端側には、ディスク１の内径に応じた外径の装着部２３ａが、中間には、この装着部２３ａよりも大径でディスク１の下面を支持する支持部２３ｂが、また、基端側には、駆動機構の出力歯車に噛合された歯車部２３ｃが、それぞれ設けられており、更に、ディスク１の前記駆動孔４に対応する位置のターンプレート２３には、駆動突起部２３ｄが突設されている。尚、図中、２９はベース台２１に固定された所定高さの支持部材であり、この支持部材２９によって、ディスク１の外周側の下面を支持して、ディスク１を安定して回転駆動できるようにしている。
【００２７】
更に、ターンプレート２３は、駆動機構２４に接続され、この駆動機構２４により、オルゴール演奏時には、ターンプレート２３を、一定回転方向に一定速度で回転駆動するようにしている。
【００２８】
この駆動機構２４は、図５に示すように、ターンプレート２３にディスク１が装着されたときに該ディスク１の外側に位置するモータＭと、このモータ回転出力をターンプレート２３に減速しつつ伝達する第１入力歯車３２、伝達軸３３、第１出力歯車３４、第２歯車３５とから構成されている。以下、各部を詳述する。
【００２９】
モータＭは、ＤＣモータが用いられ、ディスク１の外方に、そのモータ軸を、ベース台２１の平面と平行に、且つ、保持アーム２５の長手方向と直交して、ベース台２１の固定されている。従って、モータＭをベース台２１の平面に、安定して保持できるとともに、ほぼ最小限、モータ径程度の高さに、ディスクオルゴール２０の厚さを収めることができるので、薄型化を図ることができる。
【００３０】
また、このモータＭの接続端子は、図示を省略したモータ駆動回路に接続され、このモータ駆動回路から、供給される駆動電流により、動作するように構成されている。
【００３１】
モータＭの出力軸には、ウォームギア３１が固着され、このウォームギア３１には、第１入力歯車３２が噛合している。この第１入力歯車３２は、このモータ出力軸の長手方向と直交し、且つスターホイール軸２６Ａと平行に軸支された伝達軸３３の一端に固着され、この伝達軸３３の他端には、第１出力歯車３４が固着されている。この第１出力歯車３４は、第２歯車３５の入力歯車部３５ａに噛合し、この第２歯車３５に一体に形成された出力歯車部３５ｂは、ターンプレート２３の基端に一体に形成された歯車部２３ｃに噛合している。
【００３２】
前記第２歯車３５は、互いに直交する回転面を有する入力歯車部３５ａ，出力歯車部３５ｂを一体に備えており、その入力歯車部３５ａが、略円板上の外周縁を軸方向に突設するとともに、この突設された端面に歯部が刻設されて形成され、第１出力歯車３４に噛合している。また、この第２歯車３５の出力歯車部３５ｂは、入力歯車部３５ａと同軸且つ内周に、所定外径の外歯状に形成され、ターンプレート２３の基端に一体に形成された歯車部２３ｃに、噛合している。従って、第１入出力歯車の回転を、該回転軸に直交する方向に、ベース台２１上に設けられたターンプレート２３に減速しつつ伝達するようにしている。
【００３３】
更に、これらの互いに噛合する各歯車３１，３２，３４，３４，２３ｃ間には、所定の減速比が設定されている。
【００３４】
従って、この駆動機構２４により、モータＭの回転駆動力は、所定速度に減速されつつターンプレート２３に伝達され、このターンプレート２３に装着されたディスク１を所定の回転速度で回転させる。
【００３５】
また、再び図１及び図２に示すように、保持アーム２５は、少なくとも前記ディスク１の半径長さよりも長い略長板形状に形成され、その基端がベース台２１に軸支され、先端が同ベース台２１に立設された中心軸２２に、係合ロック可能に構成され、装着したディスク１を、ベース台２１側のスターホイール２６に回転しながら押圧するローラ２５ａを備えている。
【００３６】
すなわち、中心軸２２先端の保持アーム２５が係合する箇所には、切欠き部２２ａが設けられる一方、この切欠き部２２ａに応じて、保持アーム２５の該当箇所には、所定形状のロックアーム２５ｂが設けられ、このロックアーム２５ｂは、その先端が、切欠き部２２ａに係合するようにバネ付勢されている。
【００３７】
従って、使用者がロックアーム２５ｂの係合を解除する操作を行わない限り、ディスク１は確実にオルゴール２０に装着されて保持され、オルゴール２０自体の姿勢に拘らず、ディスク１を安定保持して、オルゴール演奏できるようにしている。他方、このような保持アーム２５のロックを解除し、保持アーム２５をスイングして起立させることにより、迅速且つ容易に、ディスク１の交換を行うことができる。
【００３８】
図１及び図２において、オルゴール発音動作するオルゴール発音体２７は、金属素材を用いて長板形状に形成され、ベース台２１にディスク１と平行になるように配設されている。オルゴール発音体２７の一端側の先端は、クシ歯状形成されたオルゴール弁部２７ａが設けられ、オルゴール弁部２７ａ側の端部が、保持アーム２５に対応したディスク１の半径方向に揃うように、他端側の基端が、ベース台２１に設けられた台座部に固定されている。また、これらのオルゴール弁部２７ａ，２７ａは、発音する音階数に応じた所定数が設けられ、それぞれが、音階に応じた所定の厚さ及び長さに形成され、これらのオルゴール弁部２７ａ，２７ａの先端が弾かれると、所定の音階／音程のオルゴール音を生成するように設けられている。
【００３９】
そして、保持アーム２５に対応したディスク１下面側の箇所には、ディスク１の音階トラック数に応じた複数のスターホイール２６が、スターホイール軸２６Ａにより、回転可能に軸支されている。
【００４０】
このスターホイール２６は、どのような回転位置でも、ディスク１の係合突部に係合できるように、８つの爪部が設けられており、これらの爪部の回転方向における前側は、鋭角なスロープ面に形成される一方、後側は、回転方向に直交する面に形成されて、ディスク１の係合突部との係合を確実に行えるように設けられている。
【００４１】
従って、演奏係合部として、穴を設けたタイプに比べて、全てのスターホイールの爪を一列に揃える整列動作や、穴に確実に係合するように回転方向にスターホイールを回転付勢する必要が無くなり、構成的に簡素化することができる。
【００４２】
また、各スターホイール２６に対峙したベース台２１の箇所には、摩擦を低減できる合成樹脂を用いて、スターホイール２６と同数に所定幅の間隙部を有した離間部材が設けられ、各スターホイール２６のスターホイール軸長手方向に沿った所定の間隔に保持するようにしている。従って、各スターホイール２６は、それぞれ、回転可能に、対応したオルゴール発音体２７のオルゴール弁部２７ａに、常に対峙した位置を維持できるようにしている。
【００４３】
そして、使用者が、ベース台２１に任意に選択したディスク１を装着し、図示を省略した制御回路から正時等に起動信号が出力されたり、同様に図示を省略したモニタースイッチを、使用者がオン操作すると、駆動機構２４によりディスク１が回転駆動され、曲目の音階に応じたオルゴール弁部２７ａが、所定のタイミングで、スターホイール２６の爪部２６ａにより爪弾かれ、オルゴール演奏が行われる。
【００４４】
すなわち、ディスク１の各演奏用係合部３の突起が、該演奏用係合部３に対応するスターホイール２６の爪部２６ａを引っ掛けて、該スターホイール２６を強制的に回転させ、この回転するスターホイール２６の後続する他の爪部２６ａにより、最終的にオルゴール弁部２７ａが弾かれ、オルゴール音が発生する。
【００４５】
これは、ディスク１が回転駆動され（図６（１））、演奏用係合部３がスターホイール２６の爪部２６ａのうち、例えば爪部２６ａと係合する（図６（２））と、該爪部２６ａは演奏用係合部３の突起６により強制的に移動され、スターホイール２６が回転させられる。このとき、スターホイール２６の爪部２６ａに後続する爪部２６ａがオルゴール弁部２７ａと当接し（図６（３））、更に回転移動してオルゴール弁部２７ａを爪弾いて（図６（４））、この結果、当該オルゴール弁部２７ａの固有な音階のオルゴール音が発生する。
【００４６】
更に、本例では、使用者が、単一の曲目が記録されたディスク１を選択した場合のみならず、演奏時間が異なる複数の曲目を記録したディスク１を選択した場合にも、順次、各曲目毎に異なる演奏時間のオルゴール演奏動作を正確に行えるようにしている。
【００４７】
すなわち、従来のディスクオルゴール２０は、単一の曲目を演奏するディスク１の１回転で自動的にオルゴール演奏を停止するオートストップ機構が設けられているが、本例においては、このオートストップ機構と異なり、単一のディスク１に記録された複数の曲目に応じた、ディスク１回転途中の複数位置で、ディスク１を停止動作し、順次、曲目をオルゴール演奏できるようにしたものであり、且つ、単一曲目ディスクの場合には、正常なディスク１回転動作を行えるようにしている。
【００４８】
この複数曲目に応じてオルゴール演奏時間を正確に制御するディスク回転位置検出手段４１は、図７及び図８に示すように、ターンプレート２３に設けられた複数の切欠き部４２と、ベース台２１の所定箇所に配設され、回転移動してきた切欠き部４２を検出するマイクロスイッチ４３とから構成され、このマイクロスイッチ４３の検出動作を選択的に抑制する抑止手段は、ディスク１側に設けられ任意箇所の切欠き部４２内に突出配置された爪部７から構成されている。
【００４９】
この切欠き部４２は、単一曲目の場合に、その演奏開始及び演奏終了位置を規定し、複数曲目の場合に、その第１曲目の演奏開始及び演奏終了位置を規定する基準切欠き部４２ａと、この基準切欠き部４２ａを設けた位置を起点とし、予め設定された単位時間に応じて、周方向に所定間隔を設けて形成された複数の単位切欠き部４２ｂとから構成されている。
【００５０】
これらの基準切欠き部４２ａ及び単位切欠き部４２ｂは、ターンプレート２３の支持部２３ｂの外周で、且つ前述した条件を満たす位置において、周方向に所定の長さを設けて形成され、マイクロスイッチ４３による検出を確実にするようにしている。
【００５１】
これは、ターンプレート２３に設けた駆動突起部２３ｂに、ディスク１の駆動孔４を係合させて、ディスク１をターンプレート２３に装着しているので、常に、ターンプレート２３に対して、同一の回転角度位置で、ディスク１がターンプレート２３に装着されることになる。
【００５２】
従って、単一曲目ディスク１の場合には、ベース台２１に対して、そのディスク１の演奏開始及び演奏終了位置は、常に同一となり、複数曲目ディスク１の場合にも、ベース台２１に対して、その第１曲目の演奏開始及び演奏終了位置は、常に、同一となる。
【００５３】
そして、これにより、ターンプレート２３の基準切欠き部４２ａを設ける位置と、ベース台２１側のマイクロスイッチ４３を設置する位置とは、互いに上下方向に一致した場合に、ディスク１の回転位置が、単一曲目及び複数曲目でも、その開始曲の演奏開始及び演奏終了位置になるように設定されている。
【００５４】
また、単位切欠き部４２ｂは、基準切欠き部４２ａを設けたターンプレート２３の箇所を起点として、予め定められた演奏単位時間に応じて、ターンプレート２３の外周における周方向に同一な所定距離を設けて、順次、複数、設けられている。
【００５５】
尚、本例においては、均等な間隔で、単位切欠き部４２ｂが３つ設けられており、これは、例えば、ディスク１の１回転動作が１分間の場合に、各演奏単位時間が約１５秒間となるように設定されている。
【００５６】
更に、このマイクロスイッチ４３は、図９（１）に示すように、スイッチ本体の上部に、ピン状のスイッチレバー４３ａを備え、このスイッチレバー４３ａは、その基端をスイッチ本体に回転可能に支持されるとともに、その先端が上方に向くようにバネ等により、付勢されている。
【００５７】
また、マイクロスイッチ４３とターンプレート２３の支持部２３ｂの下面との距離は、そのスイッチレバー４３ａの全長よりも短く、つまり、オルゴールの演奏途中の回転位置では、スイッチレバー４３ａが、支持部２３ｂの下面に当接して倒される距離に設定されている。
【００５８】
そして、このマイクロスイッチ４３内部には、スイッチレバー４３ａに連動して、検出信号を送出する接点構造等が収納されている。
【００５９】
また、このマイクロスイッチ４３は、通常とは逆転動作し、スイッチレバー４３ａが倒された場合に、オフ信号を出力する一方、スイッチレバー４３ａが起立した場合に、オン信号を出力するように動作が設定されている。尚、これに限らず、通常設定のマイクロスイッチ４３の出力信号を逆転回路を介して用いるようにしてもよい。
【００６０】
従って、あるオルゴール曲の演奏途中の場合には、図９（２）に示すように、マイクロスイッチ４３のスイッチレバー４３ａは、ターンプレート２３の支持部２３ｂ下面に当接して倒立され、オフ状態の信号が出力される。
【００６１】
そして、図９（３）に示すように、ターンプレート２３に設けた切欠き部４２ａ（４２ｂ）が、スイッチレバー４３ａの直上方位置に到達すると、この切欠き部４２ａ（４２ｂ）にスイッチレバー４３ａが入り込み、スイッチレバー４３ａが上方に起立するので、マイクロスイッチ４３からオン状態の検出信号が出力され、これに基づいてディスク１の回転駆動が停止され、オルゴール演奏を終了する。
【００６２】
このように、単位時間応じた複数の曲目が記録されたディスク１を使用する場合には、これらの単位切欠き部４２ｂを用いて、曲目毎に、オルゴール演奏を開始して、停止することができる。
【００６３】
しかし、ディスク１回転の単一曲目が記録されたディスク１を使用する場合には、これらの単位切欠き部４２ｂの検出を防止しないと、その演奏途中で停止してしまうので、正常なオルゴール演奏ができないことになる。
【００６４】
そこで、単一の曲目が記録されたディスク１は、その一回転の演奏途中に単位切欠き部４２ｂによる検出を抑制する抑止手段として、図７に示すように、ディスク１の背面の所定箇所に、該単位切欠き部４２ｂ内に位置する爪部７を設けている。
【００６５】
また、この爪部７は、演奏用係合部と同様な手法を用いて、形成されており、演奏用係合部の自動的な加工機械を用いて、同様に容易にディスクを多数生産することができる。
【００６６】
従って、図８（１），（２）に示すように、基準切欠き部４２ａ以外の全ての単位切欠き部４２ｂ内に、ディスク１の爪部７の先端が位置して配置されるので、これらの爪部７によって、マイクロスイッチ４３のスイッチレバー４３ａが、単位切欠き部４２ｂ内に入り込むのが阻止され、マイクロスイッチ４３による単位切欠き部４２ｂの検出動作を抑制するようにしている。
【００６７】
尚、複数曲目のディスクにおいて、全ての単位切欠き部４２ｂの検出を有効にした構成を説明したが、これに限らず、一部の単位切欠き部４２ｂのみの検出を有効にするようにしても良い。すなわち、抑止手段である爪部７を、単位切欠き部４２ｂの数よりも少ない数にディスク１に設け、この爪部７を任意の単位切欠き部４２ｂ内にのみ配置した構成としても良い。
【００６８】
従って、１単位時間の曲目と、２，３単位時間の曲目を混合して、記録した複数曲目のディスクを構成することができる。
【００６９】
特に、ディスクの演奏時間単位を細分化した場合には、より柔軟且つ精密に各曲毎の演奏時間を設定することができ、よりディスクに記録する曲目の選択幅が広がることになる。
【００７０】
次に、本例のディスクオルゴール２０を用いた実際の使用例を説明する。
【００７１】
すなわち、単一曲目が記録されたディスク１を選択して、ディスクオルゴール２０を使用し、次に、複数の曲目が記録されたディスク１に交換して、ディスクオルゴール２０を使用した場合を説明する。
【００７２】
尚、ディスクオルゴール２０にセットされたディスク１は、使用者の操作や、図示を省略した自動機構によって、予め、単一曲目及び複数曲目に拘わり無く、その曲目の演奏開始位置にセットされるものとする。
【００７３】
まず、単一曲目のディスク１を使用する場合には、使用者によるモニタースイッチ等の投入によって、ディスク１の１回転動作による単一曲目のオルゴール演奏が行われる。
【００７４】
このようにディスク１の回転駆動が開始されると、この回転駆動は、ディスク１及びターンプレート２３の回転駆動に伴い回転移動する基準切欠き部４２ａが検出するまで、継続され、ディスク１が、その単一曲目の演奏開始位置に停止される。これは、ディスク１回転途中の各単位切欠き部４２ｂの検出を、上記爪部７によって、阻止することによって、行なわれる。
【００７５】
すなわち、まず、ディスク１の演奏開始時には、ディスク１の回転位置が演奏開始位置に有り、スイッチ４３の直上にターンプレート２３の基準切欠き部４２ａが位置し、このスイッチ４３のスイッチレバー４３ａが起立している（図１０（１）参照）。
【００７６】
そして、ディスク１の回転駆動が開始され、オルゴール演奏途中の単位切欠き部４２ｂ同士の間のディスク回転位置では、ターンプレート２３の支持部２３ｂによって、スイッチレバー４３ａが倒され、スイッチ４３がオフ状態となる（図１０（２）参照）。
【００７７】
更に、ディスク１の回転位置が最初の単位切欠き部４２ｂの検出位置になると、この単位切欠き部４２ｂに、ディスク１の爪部７が配置されているので、この爪部７によって、スイッチレバー４３ａを倒した状態を維持するので、スイッチ４３がオフ状態を保持し、ディスク１の回転駆動が継続される（図１０（３）参照）。
【００７８】
そして、これに後続する各単位切欠き部４２ｂの検出回転位置においても、各単位切欠き部４２ｂ内にディスク１の爪部７が配置されるので、同様に、スイッチ１による検出が阻止され、ディスク１の回転駆動が継続される。
【００７９】
最後に、ディスク１の回転駆動が、基準切欠き部４２ａの検出回転位置に到達すると、スイッチ１がオン状態となり、この検出信号に基づき、ディスク１の回転駆動が停止され、図１０（１）に示す演奏開始状態に復帰する。
【００８０】
尚、このディスク１を、同様な単一曲目のディスク１に交換した場合には、同じ動作が繰り返される。
【００８１】
次に、単一曲目のディスク１を、複数曲目のディスクに交換して使用する場合には、このディスク１には、抑止手段である爪部７が設けられていないので、演奏開始位置（基準切欠き部４２ａの検出回転位置）（図１１（１）参照）からディスク１回転までの途中に、通過する単位切欠き部４２ｂの検出が有効となり（図１１（３）参照）、各曲目毎の演奏終了位置及び次曲目の演奏開始位置で、ディスク１の回転駆動を停止することができる。
【００８２】
従って、特に、例えば、本例を時計に用いた場合には、通常のオルゴール動作で使用する単一曲目の専用ディスクを、時報動作で使用する複数曲目の専用ディスクに、交換することのみで、各動作に応じたオルゴール曲目動作を行わせることが可能となる。
【００８３】
すなわち、オルゴールとして用いる場合には、単一曲目のディスクに交換して使用するが、時計の報知手段として用いる場合には、複数曲目のディスクに交換して使用し、異なる曲目又は、及び、異なる演奏時間によるオルゴール演奏させた時報動作を行わせることが可能となる。
【００８４】
また、このように報知手段として使用する場合には、各時報毎に、異なる曲目や演奏時間を設定できることになり、演奏される曲目や演奏時間によって、時刻を判別することができる。例えば、曲目を１小節毎に区切った構成とした場合には、各時刻毎に、順次、１小節、２小節、３小節の演奏を繰り返して行なうことができる。
【００８５】
以上説明したように、本例のディスクオルゴールによれば、ターンプレートの周方向における複数の所定箇所に、ディスクの回転位置を検出する切欠き部を設け、記録された曲目によっては、ある切欠き部の検出を抑制する爪部を設けたディスクに交換することにより、容易に演奏時間を選択することが可能となる。
【００８６】
すなわち、各ディスク毎に抑止手段を設置、不設置することにより、各ディスク毎に、何等余分な操作を行わずに、ディスクをセットするのみで、自動的に、そのディスクに応じて１回転動作や、１回転中の複数位置毎に停止動作させることが可能となる。
【００８７】
また、特に、例えば、本例を時計に用いた場合には、通常のオルゴール動作と、時計の時報動作とでは、各専用のディスクに交換することのみで、異なるオルゴール動作を行わせることが可能となる。
【００８８】
更に、演奏途中のディスクの回転スピード、すなわち、曲目の拍子が変更されても、これに自動的に追従して、確実に各曲目毎に演奏を停止し、次の曲目の演奏を正常に開始することができる。
【００８９】
次に、本発明のディスクオルゴールに係る第２具体例を図１２に基づいて説明する。
【００９０】
本例のディスクオルゴールは、上記第１具体例と異なり、単一曲目専用のターンプレートと、複数曲目専用のターンプレートを用意しておき、これらを任意に交換して装着使用できるように構成したものである。
【００９１】
図１２（１）に示すように、単一曲目専用のターンプレート５１は、従来と同様に、単一曲目の演奏開始・停止位置を規定する単一の切欠き部、つまり基準切欠き部４２ａのみが、その所定位置に形成されている。
【００９２】
従って、従来と同様に、この基準切欠き部４２ａを用いて、ディスク１の１回転動作を行え、正常な単一曲目のオルゴール演奏が可能となる。
【００９３】
また、複数曲目専用のターンプレート２３は、上記第１具体例と同様に、この基準切欠き部４２ａに加えて、複数の単位切欠き部４２ｂを、ターンプレート５２に、設けた構成とされている。
【００９４】
従って、第１具体例と同様に、複数曲目のディスク１を使用する場合には、各曲目に応じた、ディスク１回転動作の途中位置に停止動作でき、正常な各曲目毎の正常なオルゴール演奏が可能となる。
【００９５】
尚、本具体例においては、予め異なる被検出部（単位切欠き部４２ｂの個数や設ける箇所）を備えたターンプレート５１，５２を、用意しておき、ターンプレート２３自体を交換したが、これに限らず、図１２（２）に示す他の具体例のように、被検出部のみを、交換するように構成しても良い。
【００９６】
すなわち、予めターンプレート５６自体を小径に形成し、この外周に、本来の外周部分であるリング状の被検出部材５７，５８を、填め込んで装着する構成とされ、これらの被検出部材５７，５８のみを任意に交換すれば良いようにしている。
【００９７】
この単一曲目用の被検出部材５７は、その基準切欠き部４２ａのみが設けられる一方、複数曲目用の被検出部材５８は、この基準切欠き部４２ａに加えて、周方向に所定間隔を設けて単位切欠き部４２ｂが設けられている。
【００９８】
また、ターンプレート５６の外周と、各被検出部材５７，５８の内周とは、凹凸嵌合する構成とされ、この凹凸嵌合によって、ターンプレート５６に設けられたディスク１駆動用の駆動突起部５６ｄと、各被検出部材５７，５８の各切欠き部４２ａ，４２ｂとの相対的な回転角度位置を、適正に確保できるようにしている。
【００９９】
従って、ターンプレート５１，５２全体を交換することに比べて、交換部分が小型化されるので、交換作業が容易になるとともに、低コスト化を図ることができる。
【０１００】
また、上記第２具体例及び他の具体例においては、ターンプレート２３又は被検出部材５６に設けた切欠き部４２ａ，４３ｂによって、スイッチを係合操作する構成としたが、これに限らず、突設部によって、スイッチを係合操作する構成としても良く、更に、スイッチの係合操作ではなく、光センサを用いて、切欠き部又は突設部を検出するように構成しても良い。
【０１０１】
以上説明したように、本例のディスクオルゴールによれば、オルゴールディスクに、爪部を設けることなく、上記第１具体例と同様な効果を奏することができるので、第１具体例と比べて、ディスク製作を簡素化できる。
【０１０２】
また、ターンプレート毎に、予め単位切欠き部を設ける箇所を任意に設定できるので、ディスクに記録された曲目の演奏時間に柔軟に応じることができ、曲目の選択幅を広げることができる。
【０１０３】
更に、既に製作されている爪部による抑止手段が設けられていないディスクを、複数の演奏時間に区切って駆動制御することも可能となる。
【０１０４】
更に、本発明のディスクオルゴールに係る第３具体例を図１３及び図１４に基づいて説明する。
【０１０５】
本例のディスクオルゴールは、上記第１，第２具体例と異なり、単一曲目のディスク１を選択使用する場合に、各単位切欠き部４２ｂの検出を、電気的に抑制するように構成したものである。
【０１０６】
尚、ディスク回転位置検出手段４１の構成は、上述した第１具体例と同様なものを用いるので、説明を省略する。
【０１０７】
本例のディスクオルゴールの回路的な構成は、図１３に示すように、従来と同様に、使用者等によって操作されオルゴール演奏の開始動作を指示する起動信号を出力するモニタースイッチ６１と、ディスクを１回転させるか、１回転途中の停止動作を有効にするかを択一的に選択し、モード選択信号を出力するモード選択スイッチ６２（以降、モードＳＷと称する）と、これらのスイッチ信号が入力され、起動信号に基づき動作指令を出力するとともに、モード選択信号に基づき、上述した構成のディスク回転位置検出手段４１からのディスク１回転途中の検出信号を、有効か無効に判別して、停止指令か動作継続指令を出力する抑止回路６３と、この動作指令に基づき、ディスクの回転駆動させるモータＭを制御するモータ駆動回路６４とから構成されている。
【０１０８】
すなわち、この抑止回路６３は、モード選択信号が複数曲目モードの場合には、ディスク回転位置検出手段４１から出力される全ての検出信号を有効とみなし、これらの各検出信号に基づき、停止動作指令を出力する一方、モード選択信号が単一曲目モードの場合には、ディスクが１回転する途中に、ディスク回転位置検出手段４１から出力された全ての検出信号を無効とみなし、動作指令の出力を維持するように構成されている。
【０１０９】
また、使用者等によって操作されオルゴール演奏の停止を指示する停止信号を出力する停止スイッチ６５が、抑止回路６３に直結され、該停止信号によって、オルゴール演奏の途中に拘わり無く、使用者の任意に、或いは、緊急の場合に、強制的なモータ作動の停止による演奏終了ができるようにしている。
【０１１０】
次に、図１４に基づき、時計に組込んだ場合の実際的な回路構成を説明する。
【０１１１】
すなわち、時計の報知手段として、本例のディスクオルゴールを用い、正時毎に、比較的に短い演奏時間の複数曲目をオルゴール演奏して報時動作できるようにするとともに、使用者が設定した目安時刻には、演奏時間の長い単一曲目をオルゴール演奏して目安動作できるようにしている。
【０１１２】
本例の抑止回路を含んだオルゴールディスクの回路構成は、図１４に示すように、基本的に、正時モード動作時に、単一曲目のディスクを用いて、ディスクを１回転動作させる場合に、ディスク回転位置検出手段から出力される検出信号をカウントし、このカウント数が、予め設けられた単位切欠き部４２ｂの個数以下の時には、停止制御に用いないように構成したものである。
【０１１３】
尚、同図中のＳ入力端子は、図示を省略した時計の計時部に接続され、正時モード動作時には、この計時部からハイレベルの正時信号が、目安モード動作時には、ハイレベルの目安信号が出力されるものとする。
【０１１４】
従って、使用者が報時動作を選択して、複数曲目のディスク１を装着した場合には、モードＳＷ６２が、報時モードに設定され、ディスク１が１回転ではなく、各曲に応じた所定角度の回転と停止を繰り返し、正時毎に、各複数曲目に応じた短時間のオルゴール演奏が行なわれる。
【０１１５】
すなわち、使用者によって、モードＳＷ６２が報時モードのオン位置に操作され、モードＳＷ６２からハイレベル信号が出力された状態となる。
【０１１６】
そして、正時に、Ｓ入力端子から正時信号のハイレベル信号が、フリップフロップ７４のクロック（Ｃ）端子に入力されると、このフリップフロップ７４のＱ端子出力がハイレベルとなり、モータ駆動回路６４が動作し、モータＭによるディスク回転駆動が開始される。
【０１１７】
更に、このディスク回転駆動に伴い、ターンプレート２３の各単位切欠き部４３ｂが、マイクロスイッチ４３の検出位置に回転移動すると、マイクロスイッチ４３がオン状態となり、ハイレベルの検出信号を出力する。
【０１１８】
そして、このハイレベルの検出信号は、アンドゲート７１，オアゲート７３，ワンショット回路７６介して、フリップフロップ７４のリセット（Ｒ）端子にパルス入力され、フリップフロップ７４がリセットされ、フリップフロップ７４のＱ端子出力がロウレベルとなり、モータ駆動回路６４の動作が解除され、モータＭによるディスク回転駆動が停止される。
【０１１９】
従って、このように、ディスク１の複数曲目に応じたディスクの分周駆動制御が可能となり、正時毎に、複数曲目を短時間オルゴール演奏する報時動作を行なうことができる。
【０１２０】
また、使用者が目安動作を選択して、単一曲目のディスク１を装着した場合には、モードＳＷ６２が、目安モードに設定され、目安時刻に、ディスク１が１回転駆動され、単一曲目に応じた長時間のオルゴール演奏が行なわれる。
【０１２１】
すなわち、使用者によって、モードＳＷが目安モード６２にオフ操作され、モードＳＷ６２からロウレベル信号が出力された状態となり、後段に接続されたアンドゲート７１が閉状態となるとともに、後段にインバータ端子を介して接続されたアンドゲート７２が開状態となる。
【０１２２】
そして、目安時刻に、Ｓ入力端子から目安信号のハイレベル信号が、フリップフロップ７４のクロック（Ｃ）端子に入力されると、正時と同様に、このフリップフロップ７４のＱ端子出力がハイレベルとなり、モータ駆動回路６４が動作し、モータＭによるディスク回転駆動が開始される。
【０１２３】
更に、このディスクの回転駆動に伴い、回転移動してくるターンプレート２３の各単位切欠き部４３ｂが、マイクロスイッチ４３により検出され、マイクロスイッチ４３から検出信号が出力されるが、アンドゲート７１が閉状態なので、フリップフロップ７４がリセットされず、ディスク１の回転駆動が継続される。
【０１２４】
これと同時に、マイクロスイッチ４３から検出信号は、アンドゲート７２、ワンショット回路７７を介して、カウンタ７５に入力される。
【０１２５】
そして、このカウンタ７５によって、所定数（単位切欠き部４３ｂの個数）がカウントされ、カウント後の検出信号（基準切欠き部４３ａの検出信号）が入力されると、このカウンタ７５からパルス信号が、オアゲート７３，ワンショット回路７６介して、フリップフロップ７４のリセット（Ｒ）端子に入力され、フリップフロップ７４がリセットされ、モータ駆動回路６４の動作が解除され、モータＭによるディスク回転駆動が停止される。
【０１２６】
尚、このフリップフロップ７４のリセットに伴い、フリップフロップ７４からカウンタ７５のリセット端子にも、リセット信号が入力され、カウンタ７５もカウント数をリセットされる。
【０１２７】
従って、このように、ディスク１の単一曲目に応じたディスクの１回転駆動制御が可能となり、目安時刻に、単一曲目をオルゴール演奏する目安動作を行なうことができる。
【０１２８】
尚、目安信号の出力端子をアンドゲート７２の入力端子に接続し、正時信号の出力端子をアンドゲート７１の入力端子に接続した構成とすれば、モードＳＷを設けなくても、各目安モード及び正時モード動作に応じた動作を行なわせることが可能となる。
【０１２９】
また、モニタースイッチを設けて、このスイッチの出力端子をＳ入力端子に接続した構成とすれば、ディスクの各回転位置検出毎のモニター操作が可能となる。すなわち、このモニタースイッチのオン操作信号により、アンドゲート７１を介して、マイクロスイッチの検出信号を有効とできる。
【０１３０】
尚、上記具体例においては、ディスク１の回転位置検出手段は、ターンプレートに複数の切欠き部を設け、ターンプレート回転時に、一つのスイッチにより検出した構成としたが、これに限らず、１）ターンプレートに一つの突部又は凹部による回転位置検出用の係合部を設け、この係合部の回転軌跡上における所定位置に、それぞれ、係合操作される複数のスイッチを設けた構成としたり、２）オルゴールディスク自体にマーキング（係合凹凸部や反射部等による被検出部）を施し、このマーキングを機械的スイッチや光センサ等の検出手段で検出する構成にも用いることができる。
【０１３１】
すなわち、ディスク回転駆動時の回転角度位置を検出する回転位置検出手段の構成を制約すること無く、回転位置検出手段の構成自由度を高めることができるとともに、この抑止手段を広く適用することができる。
【０１３２】
以上説明したように、本例のディスクオルゴールによれば、上記第１具体例と同様な効果を奏するのみならず、抑止手段として、電気回路的な構成を用いているので、複数のディスク回転角度位置を検出する、いかなる、回転位置検出手段にも適用でき、応用範囲を広くすることができる。
【０１３３】
また、回路構成の変更のみで、より多数の選択モードを設けることにより、ディスク回転時に、その複数の任意の回転位置に停止制御するパターンも、複雑且つ高度な多数のパターンを選択するようにでき、多様なオルゴール演奏を行なうようにできる。
【０１３４】
更に、オルゴールディスクの爪部を不要としているので、ディスク製作を簡素化できる。
【０１３５】
【発明の効果】
以上説明したように、本願第１請求項の発明は、演奏用の凸部又は孔部による演奏用係合部を備えた交換可能なオルゴールディスクを、前記ディスクの中央部を支持するターンプレートによって回転駆動し、前記ディスクの演奏用係合部に案内されて回転するスターホイールにより、オルゴール弁を弾いてメロディを奏でるディスクオルゴールにおいて、複数のディスク回転位置検出手段を設けるとともに、前記回転位置検出手段からの検出信号を、選択的に抑制する抑止手段を設けて構成され、前記回転位置検出手段は、前記ターンプレートの周上に、所定間隔で設けられた複数の切欠き部と、該ターンプレートの切欠き部によって操作されるスイッチとから構成され、前記抑止手段は、前記ターンプレートの周上に設けたディスクオルゴールである。
【０１３６】
本願第２請求項の発明は、請求項１の発明において、前記抑止手段を、前記切欠き部内に配置されるディスクに設けた突設部によって構成したディスクオルゴールである。
【０１３７】
本願第３請求項の発明は、請求項１の発明において、前記回転位置検出手段からの検出信号に基づき、ディスクの回転駆動を停止するディスク駆動停止手段を設けるとともに、外部スイッチからのスイッチ信号に基づき、前記回転位置検出手段からの検出信号を、選択的に抑制する抑止手段を設け、該外部スイッチの操作によって、ディスク駆動停止手段の停止動作を制御した構成のディスクオルゴールである。
【０１３８】
従って、本発明によれば、演奏時間を短くしたり、また、長くすることの可能なディスクオルゴールを得ることができる。更に、本発明は、この演奏時間の選択を、突設部を設けたディスクにより行う所謂機械的実施態様及び、外部スイッチ操作よって行う所謂電気的実施態様を採ることができるものである。
【図面の簡単な説明】
【図１】本発明のディスクオルゴールの具体例に係り、全体構成を示す正面図である。
【図２】本発明のディスクオルゴールの具体例に係り、概略全体構成を示す側面図である。
【図３】オルゴールディスクに係り、概略全体構成を示す外観斜視図である。
【図４】本例のオルゴールディスクの演奏用係合部である突起の形成過程を示し、（１）はオルゴールディスクに切り込みを入れた状態の斜視図、（２）はこの切り込みを押圧して切り起こし部を形成した状態の斜視図、（３）は更にこの切り起こし部を中間で折り曲げて突起を形成した状態の斜視図である。
【図５】本例のオルゴールディスクの駆動機構を示す一部省略した斜視図である。
【図６】本例のオルゴールディスクの発音動作を説明し、（１）は、発音準備状態を示し、（２）は、オルゴールディスクの演奏穴にスターホイールの爪が係合した初期状態を示し、（３）は、スターホイールの爪によりオルゴール弁が弾かれた発音状態を示し、（１）は、発音準備に復帰した状態を示す。
【図７】本例のオルゴールディスクとターンプレートを示す斜視図である。
【図８】本発明の具体例に係り、（１）はターンプレートを示す斜視図、（２）はターンプレートの切欠き部にオルゴールディスクの爪部が挿入している状態を示す図である。
【図９】本発明の具体例に係り、（１）はマイクロスイッチを示す図、（２）及び（３）はマイクロスイッチとターンプレートの係合状態を示す図である。
【図１０】本発明の具体例に係り、（１）、（２）及び（３）はマイクロスイッチとターンプレートの係合状態を示す図である。
【図１１】本発明の具体例に係り、（１）、（２）及び（３）はマイクロスイッチとターンプレートの係合状態を示す図である。
【図１２】本発明の第２具体例に係り、（１）は、ターンプレート自体を交換する構成を、（２）は、ターンプレートの被検出部のみを交換する構成を示す斜視図である。
【図１３】本第３具体例に係り、時計の報知手段に用いた例を示す概略全体構成の回路図である。
【図１４】本例に係り、実際の時計に用いる際の具体的な回路構成図である。
【符号の説明】
１    オルゴールディスク
２    装着孔
３    演奏用係合部
４    回転駆動用の駆動孔
６    係合突起
７    切欠き検出阻止用の爪部
２０    ディスクオルゴール
２１    ベース台
２２    中心軸
２２ａ    アームロック用切欠き部
２３    ターンプレート
２３ａ    オルゴールディスク装着部
２３ｂ    支持部
２３ｃ    歯車部
２３ｄ    駆動突起部
２４    駆動機構
２５    保持アーム
２５ａ    オルゴールディスク中間上面用の押圧ローラ
２５ｂ    ロックアーム
２６    スターホイール
２６Ａ    スターホイール軸
２７    オルゴール発音体
２７ａ    オルゴール弁
２９    固定支持部材
３１    ウォームギア
３２    第１入力歯車
３３    伝達軸
３４    第１出力歯車
３５    第２歯車
３５ａ    入力歯車部
３５ｂ    出力歯車部
４１    ディスク回転位置検出手段
４２    切欠き部
４２ａ  基準切欠き部
４２ｂ  単位切欠き部
４３    マイクロスイッチ
４３ａ  スイッチレバー
５１    単一曲目（１回転）用ターンプレート
５２    複数曲目（分割回転）用ターンプレート
５６    ターンプレート
５７    単一曲目（１回転）用被検出部材
５８    複数曲目（分割回転）用被検出部材
６１    モニタースイッチ
６２    モード選択スイッチ
６３    抑止回路
６４    モータ駆動回路
６５    停止スイッチ
７１    アンドゲート
７２    アンドゲート
７３    オアゲート
７４    フリップフロップ
７５    カウンタ
７６    ワンショット回路
７７    ワンショット回路
Ｍ    オルゴールディスク駆動用モータ
【図１】
0003575953.tif 000002
【図２】
0003575953.tif 000003
【図３】
0003575953.tif 000004
【図４】
0003575953.tif 000005
【図５】
0003575953.tif 000006
【図６】
0003575953.tif 000007
【図７】
0003575953.tif 000008
【図８】
0003575953.tif 000009
【図９】
0003575953.tif 000010
【図１０】
0003575953.tif 000011
【図１１】
0003575953.tif 000012
【図１２】
0003575953.tif 000013
【図１３】
0003575953.tif 000014
【図１４】
0003575953.tif 000015